(57)【特許請求の範囲】
【請求項１】
天板の下面に取り付ける下枠と、該下枠を回動可能に支持する上側支柱と、前記下枠の内側面と係合可能な係止部と、ロックレバーに連係するロックピンと係脱可能な係合溝と、前記ロックピンを誘導可能なカム部とを備え、前記上側支柱を支柱本体に着脱可能に取り付けた折畳みテーブルにおいて、前記上側支柱の上部にカムプレート部を設け、該カムプレート部に前記係合溝と係止部およびカム部とを一体成形したことを特徴とする折畳みテーブル。
【請求項２】
前記上側支柱の少なくとも上部周面を枢軸方向に突出成形した請求項１記載の折畳みテーブル。
【請求項３】
前記カムプレート部の一側に、周面を枢軸方向に突出成形した掛止部を突設し、該掛止部の下面を前記支柱本体の上端部に係合可能にするとともに、前記上側支柱の掛止部の下側周面を支柱本体の周面に取り付けた請求項１記載の折畳みテーブル。
【請求項４】
前記掛止部の上端部に、前記カムプレ−ト部の係止部と同一面の係止部を設けた請求項３記載の折畳みテ−ブル。
【請求項５】
前記上側支柱の中間部に補強枠を連結可能な連結突起を一体成形した請求項１記載の折畳みテーブル。
【発明の詳細な説明】
【０００１】
【発明の属する技術分野】
本発明は上側支柱およびロック機構の主要部を一体成形してユニット化し、部品点数の低減と構成の簡潔化、並びに寸法精度の向上を図り、これを容易かつ安価に製作するとともに、ロック作動や天板使用時の安定性と、上側支柱の取り付け強度の向上を図れる折畳みテーブルに関する。
【０００２】
【従来の技術】
従来の折畳みテーブルは、例えば実用新案登録第２５７２７５７号公報のように、脚支柱の上部に上側脚支柱を連結し、該上側脚支柱の内側に連結板を取り付け、該連結板にロックピンと係合可能な複数の係合溝を形成し、該連結板に天板を取り付ける支持フレームを回動可能に連結し、その中間部に横枠の端部を溶接するとともに、上側脚支柱の上端部に合成樹脂製のキャップを装着し、該キャップの上端部を支持フレームの内側面に係合させていた。
【０００３】
しかし、この従来の折畳みテーブルは、上側脚支柱と別個に鋼板製の連結板とキャップを要し、その分部品点数が多くなるとともに、連結板はプレス成形によるため各部の寸法のバラツキが大きく、その上この連結板に横枠の端部を溶接しているため、寸法精度が更に悪くなり、しかもプレス成形や溶接作業は煩雑で手間が掛かり、コスト高になる等の問題があった。
【０００４】
【発明が解決しようとする課題】
本発明はこのような問題を解決し、上側支柱およびロック機構の主要部を一体成形してユニット化し、部品点数の低減と構成の簡潔化、並びに寸法精度の向上を図り、これを容易かつ安価に製作するとともに、ロック作動や天板使用時の安定性と、上側支柱の取り付け強度の向上を図れる折畳みテーブルを提供することを目的とする。
【０００５】
【課題を解決するための手段】
このため、請求項１の発明は、天板の下面に取り付ける下枠と、該下枠を回動可能に支持する上側支柱と、前記下枠の内側面と係合可能な係止部と、ロックレバーに連係するロックピンと係脱可能な係合溝と、前記ロックピンを誘導可能なカム部とを備え、前記上側支柱を支柱本体に着脱可能に取り付けた折畳みテーブルにおいて、前記上側支柱の上部にカムプレート部を設け、該カムプレート部に前記係合溝と係止部およびカム部とを一体成形し、上側支柱とロック機構の主要部を一体成形してユニット化し、部品点数を低減して構成を簡潔にし、これを容易かつ安価に製作するとともに、各部の寸法のバラツキを防止し、寸法精度を向上できるようにしている。
【０００６】
請求項２の発明は、前記上側支柱の少なくとも上部周面を枢軸方向に突出成形し、前記係合溝と係止部およびカム部の各接触面積を広く確保して、対応するロックピンや下枠との係合の安定化を図り、ロック作動と天板使用時の安定性を向上するようにしている。
請求項３の発明は、前記カムプレート部の一側に、周面を枢軸方向に突出成形した掛止部を突設し、該掛止部の下面を前記支柱本体の上端部に係合可能にするとともに、前記上側支柱の掛止部の下側周面を支柱本体の周面に取り付け、組み立ての容易化とその作業性の向上を図るとともに、上側支柱と支柱本体との接触面積を増やし、それらの取り付け強度の向上を図るようにしている。
【０００７】
請求項４の発明は、前記掛止部の上端部に、前記カムプレート部の係止部と同一面の係止部を設け、前記掛止部とカムプレート部の係止部とによって広い係止部を形成し、これらの係止部と下枠との係合を安定化し、天板使用時の安定性を向上するようにしている。
請求項５の発明は、前記上側支柱の中間部に補強枠を連結可能な連結突起を一体成形し、従来の連結板に対する補強枠の溶接を廃し、補強枠の連結作業を容易かつ精度良く行なうようにしている。
【０００８】
【発明の実施の形態】
以下、本発明を会議用テーブルに適用した図示の実施形態について説明すると、図１乃至図６において１は横長矩形の天板で、その下面に鋼板製の略逆Ｕ字形断面の下枠２がビス３を介して取り付けられている。
前記下枠２は内側に突出する平坦面状の複数の補強凸部４を有し、その一対の屈曲片２ａ，２ａ間に上側脚支柱５が回動可能に連結され、換言すれば上側支柱５に下枠２が回動可能に連結されている。
【０００９】
前記上側支柱５は図４のように、アルミニウムダイカストによって肉厚の略縦長矩形板状に成形され、その周面は後述の枢軸方向に突出成形され、かつその外側部は周壁および補強リブ（図示略）を残して外側に開口されていて、その上部にカムプレート部６と掛止部７とが一体に成形されている。
【００１０】
このうち、カムプレート部６は、その一側周面に緩やかな湾曲面状のカム部８が形成され、該カム部８の上下位置に係合溝９，１０が上向きおよび下向きに成形され、これらに後述のロックピン（図示略）を係合可能にしている。
【００１１】
また、前記掛止部７はカムプレート部６の外側に突設され、これはカムプレート部６と同厚の略縦長矩形板状に成形され、かつその上面はカムプレート部６と同高面に形成されていて、前記カムプレート部６の上面と共に幅広な平面状の係止部１１を形成し、前記補強凸部４と係合可能にされている。
【００１２】
前記カムプレート部６のカム部８と反対側に枢支部１２が突設され、その軸孔１３に枢軸であるピン１４が挿入され、その螺軸端を屈曲片２ａの外側からナット１５で緊締している。
図中、１６，１７は屈曲片２ａ，２ａに形成したピン孔で、それらに前記ピン１４とピン１８が挿入されている。
【００１３】
前記屈曲片２ａ，２ａ間にロックレバ−１９とロックリンク２０とが配置され、それらの筒状の枢支部２１，２２に前記ピン１８が挿入され、該ピン１８に前記枢支部２１，２２からビスがねじ込まれ、ロックレバ−１９とロックリンク２０とをピン１８と同動可能にしている。
【００１４】
前記枢支部２１，２２の間のピン１８に捩りバネ２３が介挿され、その一端を下枠２に掛け止め、その他端をロックリンク２０に掛け止めている。
そして、前記捩りバネ２３の弾性を介して、ロックリンク２０を上側支柱５側へ付勢し、前記リンク２０と一体のロックピン２４を前記係合溝１０に係合可能に付勢し、ロックレバ−１９を下方へ回動可能に付勢している。
【００１５】
図中、２５は下枠２の下端部に取り付けた下枠カバーで、その一端の開口窓２６からロックレバ−１９の先端部の操作部２７を出没可能にしている。
２８は下枠２，２の内側に突出したピン１８，１８を同動可能に連結した回動軸で、左右のロックレバー１９を同期作動可能にしている。
【００１６】
前記上側支柱５の中間部から下端部は、前記カムプレート部６より若干幅狭で、かつ同厚の縦長矩形板状に形成され、その上下位置にボルト２９若しくはビスを挿入可能な通孔３０が設けられ、上側支柱５を支柱本体３１の上部に取り付けている。
【００１７】
前記支柱本体３１は上側支柱５と略同幅の角管材で構成され、該本体３１の下端部はキャスター（図示略）を取り付けた脚柱３２に垂直に取り付けられ、その上部内側周面に透孔３３，３３が前記通孔３０と同ピッチに形成されている。
【００１８】
前記支柱本体３１の内部に、該本体３１よりも幅狭なコ字形断面の補強金具３４が収容され、その上下位置にネジ孔３５，３５が前記通孔３０と同ピッチに形成され、該ネジ孔３５に前記ボルト２９がねじ込まれている。
図中、３６は支柱本体３１の内側面に形成したビス孔、３７は前記補強金具３４に形成したネジ孔で、ビス３８がねじ込まれている。
【００１９】
前記支柱本体３１の上端部に略Ｌ字形断面の合成樹脂製のキャップ３９が装着され、その上面に前記掛止部７の下面を掛け止め、かつその屈曲片３９ａを前記屈曲片２ａの外側に近接して配置し、前記ピン１４，１８の端部を隠蔽するとともに、天板１のセット時に支柱本体３１の上端部に手指が挟まれる事態を防止している。
【００２０】
前記キャップ３９の下面に一対の係止爪４０，４１が下方に突設され、該係止爪４０，４１を前記支柱本体３１の上端部内に差し込み、係止爪４０，４１の間に前記補強金具３４の上端部を挟持させている。
【００２１】
前記上側支柱５の前記通孔３０，３０の間に略角柱状の連結突起４２が一体成形され、その上下端面に複数のネジ孔４３が形成されていて、前記突起４２に差し込んだ連結枠４４の端部にビス４５を挿入し、これを前記ネジ孔４３にねじ込み可能にしている。図中、４６は上側支柱５の端縁に突設した係合突起である。
【００２２】
この他、図中４７は天板１の下面に取り付けた左右一対の棚枠で、それらの下端部間に複数の棚棒４８が取り付けられている。４９は屈曲片２ａに突設した補強用の張出部である。
【００２３】
このように構成した折畳みテーブルは、カムプレート部６と掛止部７と連結突起４２とをダイカスト成形して上側支柱５を構成したから、鋼板をプレス成形した従来の連結板に比べて、堅牢で溶接の手間もなく、またプレス成形や溶接における寸法のバラツキがなくなり、これを容易かつ安価にしかも精度良く製作できる。
【００２４】
しかも、カムプレート部６を枢軸方向に張り出し、その分係合溝９，１０の長さやカム部８を長く形成しているから、従来の鋼板製の連結板に比べて、ロックピン２４の係合状態や滑動状態が安定し、また係止部１１を構成する上面を広く形成できる。
更に、掛止部７を枢軸方向に張り出し、その分上面を広く確保しているから、前述のカムプレート部６の上面と相俟って、従来の鋼板製の連結板に比べて広い係止部１１を得られ、天板１の使用時の安定性が向上する。
【００２５】
そこで、前記上側脚支柱５を使用して折畳みテーブルを組み立てる場合は、例えば支柱本体３１に補強金具３４を挿入し、そのネジ孔３７にビス３８をねじ込んで仮止めし、更に支柱本体３１の上端部にキャップ３９を差し込み、その係合爪４０，４１の間に補強金具３４の上端部を挟持する。
【００２６】
次に左右一対の上側支柱５を用意し、それらの連結突起４２に連結枠４４を差し込み、これをビス４５で固定する。
また、上側支柱５の上部と、ロックリンク２０と、捩りバネ２３とロックレバー１９とを下枠２の屈曲片２ａ，２ａ間に位置付け、それらにピン孔１７，１７を介してピン１８を差し込み、その枢支部をピン１８にビス止めするとともに、屈曲片２ａの内側に突出したピン１８，１８に回動軸２８をビス止めする。
【００２７】
更に、ピン孔１６，１６にピン１４を差し込み、その螺軸端をナット１５で緊締後、屈曲片２ａ，２ａの下端部にカバー２５を取り付け、該下枠２を天板１の下面にビス止めする。
したがって、下枠２と上側支柱５を組み付けた天板１のアセンブリと、補強金具３４を組み込んだ支柱本体３１のアセンブリに分けられるから、これらを一体にしたものに比べて、各アセンブリの取り扱いが容易になり、それらの梱包や梱包のコンパクト化を図れる。
【００２８】
また、前記のように二つのアセンブリに分けることで、双方のアセンブリのメンテナンスが可能になるとともに、例えば天板１や脚部のデザインや構造が相違するアセンブリを選択的に組み付け、多様なテーブルを簡単に組み付けられる。
【００２９】
次に前記アセンブリを組み立てる場合は、例えば天板１を平坦な作業台に載せて倒立し、その上側支柱５の掛止部７の底面上に、支柱本体３１のアセンブリのキャップ３９を載せ、この掛け止め状態を保持しながら、上側支柱５の外面と支柱本体３１の内側面とを密着する。
【００３０】
そして、それらの通孔３０および透孔３３にボルト２９を挿入し、かつこれを補強金具３４のネジ孔３５にねじ込んで、上側支柱５を支柱本体３１に固定すれば良い。
したがって、上側支柱と支柱本体とを嵌合してボルト締めする従来のものに比べて、両者の接触面積が増大し、その分両者を強固に取り付けられるとともに、支柱本体３１のアセンブリを保持して組み付ける面倒がなく、この組み立て作業を容易に行なえる。
【００３１】
こうして組み立てた折畳みテーブルの主要部は図１，５，６のようで、天板１のセット時はロックピン２４が係合溝１０に係合し、ロックレバー２９の操作部２７が開口窓２６の外側に突出し、また下枠２の補強部４に上側支柱５上端部の係止部１１が直接係合している。
【００３２】
この場合、前記係止部１１は前述のように、カムプレート部６の上面と掛止部７の上面とで平坦な広い係合面に形成されているから、従来の鋼板製の連結板に比べて、下枠２を安定して支持し、天板１の使用時の安定性が向上する。
また、ロックピン２４は前述のように、係合溝１０の長さ分広い面積で係合しているから、従来の鋼板製の連結板に比べて、ロックピン２４と係合溝１０との係合状態が安定し、前述と相俟って天板１の使用時の安定性が向上する。
【００３３】
その際、上側支柱５はその上部、特に外側に表出する成形内部を屈曲片２ａ，２ａで隠蔽し、その下部側の成形内部を支柱本体３１に密着して隠蔽し、更に外側に配置した屈曲片２ａの外側にキャップ３９の屈曲片３９ａを近接して配置し、ピン１４の頭部を隠蔽しているから、当該部の体裁が良い。
しかも、キャップ３９上に掛止部７の下面が係合し、該掛止部７に天板１の荷重が作用するから、キャップ３９が抜け止めされ、補強金具３４を強固に保持する。
【００３４】
次に天板１を折り畳む場合は、何れか一方または双方のロックレバー１９の操作部２７を押し上げ、ロックレバー１９とロックリンク２０とを捩りバネ２３の弾性に抗して、ピン１８を中心に図１上反時計方向へ回動し、ロックピン２４と係合溝１０との係合を解除する。
【００３５】
この後、前記状態を維持しながら、天板１と下枠２をピン１４を中心に上向きに回動する。このようにすると、ロックピン２４が係合溝１０から抜け出てカム部８を滑動し、天板１が９０°起立回動したところで、ロックピン２４が捩りバネ２３の弾性によって係合溝９に係合し、この係合状態を維持する。
【００３６】
この場合、ロックピン２４は前述のように、係合溝９の長さ分広い面積で係合するから、従来の鋼板製の連結板に比べて、ロックピン２４と係合溝９との係合状態が安定し、天板１の折り畳み時の安定性が向上する。
また、前記天板１の折り畳み時は、天板１が移動して上側支柱５の上端部が表出するが、当該部は広い係止面１１で、しかも周辺の隅角部はアール状に成形されているから、当該部に接触しても怪我をする惧れがなく、従来の鋼板製の連結板に比べて、使用上の安全性が向上する。
【００３７】
次に前記の状態から天板１をリセットする場合は、何れか一方または双方のロックレバー１９の操作部２７を押し、ロックレバー１９とロックリンク２０とを捩りバネ２３の弾性に抗して、ピン１８を中心に回動し、ロックピン２４と係合溝９０との係合を解除する。
【００３８】
この後、前記状態を維持しながら、天板１と下枠２をピン１４を中心に下向きに回動する。このようにすると、ロックピン２４が係合溝９から抜け出てカム部８上を滑動し、天板１が９０°転倒回動したところで、ロックピン２４が捩りバネ２３の弾性によって係合溝１０に係合し、この係合状態を維持する。
したがって、この後天板１の利用が可能になる。
また、前記天板１のリセット回動時、キャップ３９の屈曲片３９ａが最外側に位置しているから、脚支柱３１の上端部に手指が挟まれる事態を未然に防止する
【００３９】
【発明の効果】
以上のように請求項１の発明は、上側支柱の上部にカムプレート部を設け、該カムプレート部に前記係合溝と係止部およびカム部とを一体成形したから、上側支柱とロック機構の主要部を一体成形してユニット化し、部品点数の低減と構成の簡潔化を図れ、これを容易かつ安価に製作できるとともに、各部の寸法のバラツキを防止し、精度良く製作できる効果がある。
請求項２の発明は、前記上側支柱の少なくとも上部周面を枢軸方向に突出成形したから、前記係合溝と係止部およびカム部の各接触面積を広く確保することができ、対応するロックピンや下枠との係合の安定化を図れ、ロック作動と天板使用時の安定性を向上することができる。
【００４０】
請求項３の発明は、前記カムプレート部の一側に、周面を枢軸方向に突出成形した掛止部を突設し、該掛止部の下面を前記支柱本体の上端部に係合可能にするとともに、前記上側支柱の掛止部の下側周面を支柱本体の周面に取り付けたから、組み立ての容易化とその作業性の向上を図れるとともに、上側支柱と支柱本体との接触面積を増やし、それらの取り付け強度を向上することができる。
請求項４の発明は、前記掛止部の上端部に、前記カムプレート部の係止部と同一面の係止部を設けたから、前記掛止部とカムプレート部の係止部によって広い係止部を得られ、該係止部と下枠との係合を安定化し、天板使用時の安定性を向上することができる。
請求項５の発明は、前記上側支柱の中間部に補強枠を連結可能な連結突起を一体成形したから、従来の連結板に対する補強枠の溶接を廃し、補強枠の連結作業を容易かつ精度良く行なうことができる。
【図面の簡単な説明】
【図１】本発明の実施の形態を示す正面図で、天板のセット時の使用状態を示している
【図２】本発明に適用した天板側のアセンブリと、支柱本体側のアセンブリとの組み立て状況を分解して示す斜視図である。
【図３】本発明の要部を分解して示す斜視図で、天板と下枠と上側支柱と支柱本体との組み付け状態を示している。
【図４】本発明に適用した上側支柱の一例を示す斜視図である。
【図５】本発明の実施の形態を示す正面図で、支柱本体とキャップと補強金具との組み立て状態を示している。
【図６】図５の側面図である。
【符号の説明】
１                        天板
２                        下枠
５                        上側支柱
６                        カムプレート部
７                        掛止部
８                        カム部
９，１０                  係合溝
１１                        係止部
１４                        枢軸（ピン）
１９                        ロックレバー
２４                        ロックピン
３１                        支柱本体
４２                        連結突起
４４                        補強枠
【図１】
0004471440.tif 000002
【図２】
0004471440.tif 000003
【図３】
0004471440.tif 000004
【図４】
0004471440.tif 000005
【図５】
0004471440.tif 000006
【図６】
0004471440.tif 000007